【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
レーザの発光パターンを利用して光ディスクに記録または光ディスクを再生することの少なくとも一方を行なう光ピックアップと、
前記光ピックアップから発せられ前記光ディスクで反射した反射光を受光する反射光受光部と、
前記反射光受光部で受光した信号からトラッキングエラー信号を生成増幅するＲＦアンプと、
前記光ピックアップを前記光ディスクの所望の情報トラック上に向けて１トラック分ずつ連続して移動させる駆動手段と、
前記光ピックアップの１トラック分ずつの移動状況を前記トラッキングエラー信号から検知するジャンプ結果検波手段と、
前記駆動手段を動作させ前記光ピックアップを移動させる制御手段と、を備え、
前記制御手段は、前記ジャンプ結果検波手段の検知結果に基づき前記光ピックアップの１トラック分ずつの移動が正常に行なわれたかを判断し、前記光ピックアップの移動が正常でない場合には前記ジャンプ結果検波手段の検知結果に基づき前記駆動手段の駆動値を変更することを特徴とする光ディスク装置。
【請求項２】
前記ジャンプ結果検波手段は、
前記光ピックアップが１トラック分ずつの移動を開始して、その移動に対応して最初に現れたトラッキングエラー信号の極性をプラス側と定義し、その反対の極性をマイナス側と定義したとき、
前記最初に現れたトラッキングエラー信号がいずれかの極性において複数回所定値を超えた場合、前記光ピックアップの１トラック分ずつの移動が正常でないと判断することを特徴とする請求項１記載の光ディスク装置。
【請求項３】
前記駆動値は、前記光ピックアップの移動を制動するブレーキ電圧、もしくは前記光ピックアップの移動を加速するキック電圧であり、
前記制御手段は、前記最初に現れたトラッキングエラー信号がいずれかの極性において複数回所定値を超えた場合、前記ブレーキ電圧の印加時間が短すぎる、もしくは前記キック電圧の印加時間が長すぎると判断して、
前記ブレーキ電圧の印加時間を長くする、または前記キック電圧の印加時間を短くすることの少なくとも一方を行なうことを特徴とする請求項２記載の光ディスク装置。
【請求項４】
前記ジャンプ結果検波手段は、
前記光ピックアップが１トラック分ずつの移動を開始して、その移動に対応して最初に現れたトラッキングエラー信号の極性をプラス側と定義し、その反対の極性をマイナス側と定義したとき、
前記最初に現れたトラッキングエラー信号がいずれの極性においても１回しか所定値を超えず、且つマイナス側の所定値を超えている時間が前記光ピックアップの１トラック分ずつの移動が正常にできる最大時間を超えた場合、前記光ピックアップの１トラック分ずつの移動が正常でないと判断することを特徴とする請求項１記載の光ディスク装置。
【請求項５】
前記駆動値は、前記光ピックアップの移動を制動するブレーキ電圧、もしくは前記光ピックアップの移動を加速するキック電圧であり、
前記最初に現れたトラッキングエラー信号がいずれの極性においても１回しか所定値を超えず、且つマイナス側の所定値を超えている時間が前記光ピックアップの１トラック分ずつの移動が正常にできる最大時間を超えた場合、前記ブレーキ電圧の印加時間が長すぎる、もしくは前記キック電圧の印加時間が短すぎると判断して、
前記ブレーキ電圧の印加時間を短くする、または前記キック電圧の印加時間を長くすることの少なくとも一方を行なうことを特徴とする請求項４記載の光ディスク装置。
【請求項６】
レーザの発光パターンを利用して光ディスクに記録または光ディスクを再生することの少なくとも一方を行い、前記光ディスクで反射した反射光を受光し、前記受光した反射光からトラッキングエラー信号を生成増幅し、
光ピックアップを光ディスクの所望の情報トラック上に向けて１トラック分ずつ連続して移動させ、前記光ピックアップの１トラック分ずつの移動状況を前記トラッキングエラー信号から検知し、
前記光ピックアップが１トラック分ずつの移動を開始して、その移動に対応して最初に現れたトラッキングエラー信号の極性をプラス側と定義し、その反対の極性をマイナス側と定義したとき、
前記最初に現れたトラッキングエラー信号がいずれかの極性において複数回所定値を超えた場合、または前記最初に現れたトラッキングエラー信号がいずれの極性においても１回しか所定値を超えず、且つマイナス側の所定値を超えている時間が前記光ピックアップの１トラック分ずつの移動が正常にできる最大時間を超えた場合に前記光ピックアップの１トラック分ずつの移動が正常でないと判断し、
前記光ピックアップの移動を制動するブレーキ電圧、または前記光ピックアップの移動を加速するキック電圧の少なくとも一方の印加時間を変更することを特徴とする光ディスク装置のトラッキング制御方法。
【手続補正２】
【補正対象書類名】明細書
【補正対象項目名】００２０
【補正方法】変更
【補正の内容】
【００２０】
本発明は、上記課題を解決するためになされたものであって、レーザの発光パターンを利用して光ディスクに記録または光ディスクを再生することの少なくとも一方を行なう光ピックアップと、光ピックアップから発せられ光ディスクで反射した反射光を受光する反射光受光部と、反射光受光部で受光した信号からトラッキングエラー信号を生成増幅するＲＦアンプと、光ピックアップを光ディスクの所望の情報トラック上に向けて１トラック分ずつ連続して移動させる駆動手段と、光ピックアップの１トラック分ずつの移動状況をトラッキングエラー信号から検知するジャンプ結果検波手段と、駆動手段を動作させ光ピックアップを移動させる制御手段と、を備え、制御手段は、ジャンプ結果検波手段の検知結果に基づき光ピックアップの１トラック分ずつの移動が正常に行なわれたかを判断し、光ピックアップの移動が正常でない場合にはジャンプ結果検波手段の検知結果に基づき駆動手段の駆動値を変更することを特徴とする光ディスク装置である。
【手続補正３】
【補正対象書類名】明細書
【補正対象項目名】００２１
【補正方法】変更
【補正の内容】
【００２１】
また本発明は、レーザの発光パターンを利用して光ディスクに記録または光ディスクを再生することの少なくとも一方を行い、光ディスクで反射した反射光を受光し、受光した反射光からトラッキングエラー信号を生成増幅し、光ピックアップを光ディスクの所望の情報トラック上に向けて１トラック分ずつ連続して移動させ、光ピックアップの１トラック分ずつの移動状況をトラッキングエラー信号から検知し、光ピックアップが１トラック分ずつの移動を開始して、その移動に対応して最初に現れたトラッキングエラー信号の極性をプラス側と定義し、その反対の極性をマイナス側と定義したとき、最初に現れたトラッキングエラー信号がいずれかの極性において複数回所定値を超えた場合、または最初に現れたトラッキングエラー信号がいずれの極性においても１回しか所定値を超えず、且つマイナス側の所定値を超えている時間が光ピックアップの１トラック分ずつの移動が正常にできる最大時間を超えた場合に光ピックアップの１トラック分ずつの移動が正常でないと判断し、光ピックアップの移動を制動するブレーキ電圧、または光ピックアップの移動を加速するキック電圧の少なくとも一方の印加時間を変更することを特徴とする光ディスク装置のトラッキング制御方法である。
【手続補正４】
【補正対象書類名】明細書
【補正対象項目名】００２２
【補正方法】変更
【補正の内容】
【００２２】
本発明は上記構成により、制御手段が、ジャンプ結果検波手段の検知結果に基づき光ピックアップの１トラック分ずつの移動が正常に行なわれたかを判断し、光ピックアップの移動が正常でない場合にはジャンプ結果検波手段の検知結果に基づき駆動手段の駆動値を変更することによって、光ディスク自体のばらつきやＰＵＭ（ピックアップモジュール）アクチュエータばらつき、回路自体の電圧ばらつきなどの外乱が発生しても、光ピックアップの移動を加速するトラック駆動信号であるキック電圧または光ピックアップの移動を制動するトラック駆動信号であるブレーキ電圧の少なくとも一方の電圧印加時間を、光ピックアップの移動状況に応じて１トラック分ずつの移動が正確に行なわれるための最適な時間に変更できる。
【手続補正５】
【補正対象書類名】明細書
【補正対象項目名】００２４
【補正方法】変更
【補正の内容】
【００２４】
請求項１記載の発明は、レーザの発光パターンを利用して光ディスクに記録または光ディスクを再生することの少なくとも一方を行なう光ピックアップと、光ピックアップから発せられ光ディスクで反射した反射光を受光する反射光受光部と、反射光受光部で受光した信号からトラッキングエラー信号を生成増幅するＲＦアンプと、光ピックアップを光ディスクの所望の情報トラック上に向けて１トラック分ずつ連続して移動させる駆動手段と、光ピックアップの１トラック分ずつの移動状況をトラッキングエラー信号から検知するジャンプ結果検波手段と、駆動手段を動作させ光ピックアップを移動させる制御手段と、を備え、制御手段が、ジャンプ結果検波手段の検知結果に基づき光ピックアップの１トラック分ずつの移動が正常に行なわれたかを判断し、光ピックアップの移動が正常でない場合にはジャンプ結果検波手段の検知結果に基づき駆動手段の駆動値を変更することを特徴とするものである。これにより、光ディスクの情報トラック間距離のばらつきやピックアップモジュールのアクチュエータ感度のばらつき、回路自体の電圧ばらつきなどの外乱が発生しても、光ピックアップの移動を加速するトラック駆動信号であるキック電圧または光ピックアップの移動を制動するトラック駆動信号であるブレーキ電圧の少なくとも一方の電圧印加時間を、光ピックアップの移動状況に応じて１トラック分ずつの移動が正確に行なわれるための最適な時間に変更するので、外乱による１トラックジャンプのジャンプ精度の悪化を回避することができ、ジャンプ失敗によるタイムアウトの削減やアクセスタイムの時間短縮が可能となる光ディスク装置を実現することができる。
【手続補正６】
【補正対象書類名】明細書
【補正対象項目名】００２５
【補正方法】変更
【補正の内容】
【００２５】
請求項２記載の発明は、ジャンプ結果検波手段が、光ピックアップが１トラック分ずつの移動を開始して、その移動に対応して最初に現れたトラッキングエラー信号の極性をプラス側と定義し、その反対の極性をマイナス側と定義したとき、最初に現れたトラッキングエラー信号がいずれかの極性において複数回所定値を超えた場合、光ピックアップの１トラック分ずつの移動が正常でないと判断することを特徴とするものである。これにより、１トラックジャンプの動作状況の把握を容易に、且つ正確に行なうことができる。
【手続補正７】
【補正対象書類名】明細書
【補正対象項目名】００２６
【補正方法】変更
【補正の内容】
【００２６】
請求項３記載の発明は、駆動手段の駆動値が、光ピックアップの移動を制動するブレーキ電圧、もしくは光ピックアップの移動を加速するキック電圧であり、制御手段が、最初に現れたトラッキングエラー信号がいずれかの極性において複数回所定値を超えた場合、ブレーキ電圧の印加時間が短すぎる、もしくはキック電圧の印加時間が長すぎると判断して、ブレーキ電圧の印加時間を長くする、またはキック電圧の印加時間を短くすることの少なくとも一方を行なうことを特徴とすることを特徴とするものである。これにより、連続して行なわれる１トラックジャンプの途中でトラック駆動信号のキック電圧またはブレーキ電圧の少なくとも一方の電圧印加時間を変更する際にトラックジャンプの状況把握を容易に行なうことができる。
【手続補正８】
【補正対象書類名】明細書
【補正対象項目名】００２７
【補正方法】変更
【補正の内容】
【００２７】
請求項４記載の発明は、ジャンプ結果検波手段が、光ピックアップが１トラック分ずつの移動を開始して、その移動に対応して最初に現れたトラッキングエラー信号の極性をプラス側と定義し、その反対の極性をマイナス側と定義したとき、最初に現れたトラッキングエラー信号がいずれの極性においても１回しか所定値を超えず、且つマイナス側の所定値を超えている時間が光ピックアップの１トラック分ずつの移動が正常にできる最大時間を超えた場合、光ピックアップの１トラック分ずつの移動が正常でないと判断することを特徴とするものである。これにより、１トラックジャンプの動作状況の把握を容易に、且つ正確に行なうことができる。
【手続補正９】
【補正対象書類名】明細書
【補正対象項目名】００２８
【補正方法】変更
【補正の内容】
【００２８】
請求項５記載の発明は、駆動手段の駆動値が、光ピックアップの移動を制動するブレーキ電圧、もしくは光ピックアップの移動を加速するキック電圧であり、最初に現れたトラッキングエラー信号がいずれの極性においても１回しか所定値を超えず、且つマイナス側の所定値を超えている時間が光ピックアップの１トラック分ずつの移動が正常にできる最大時間を超えた場合、ブレーキ電圧の印加時間が長すぎる、もしくはキック電圧の印加時間が短すぎると判断して、ブレーキ電圧の印加時間を短くする、またはキック電圧の印加時間を長くすることの少なくとも一方を行なうことを特徴とするものである。これにより、連続して行なわれる１トラックジャンプの途中でトラック駆動信号のキック電圧またはブレーキ電圧の少なくとも一方の電圧印加時間を変更する際にトラックジャンプの状況把握を容易に行なうことができる。
【手続補正１０】
【補正対象書類名】明細書
【補正対象項目名】００２９
【補正方法】変更
【補正の内容】
【００２９】
請求項６記載の発明は、レーザの発光パターンを利用して光ディスクに記録または光ディスクを再生することの少なくとも一方を行い、光ディスクで反射した反射光を受光し、受光した反射光からトラッキングエラー信号を生成増幅し、光ピックアップを光ディスクの所望の情報トラック上に向けて１トラック分ずつ連続して移動させ、光ピックアップの１トラック分ずつの移動状況をトラッキングエラー信号から検知し、光ピックアップが１トラック分ずつの移動を開始して、その移動に対応して最初に現れたトラッキングエラー信号の極性をプラス側と定義し、その反対の極性をマイナス側と定義したとき、最初に現れたトラッキングエラー信号がいずれかの極性において複数回所定値を超えた場合、または最初に現れたトラッキングエラー信号がいずれの極性においても１回しか所定値を超えず、且つマイナス側の所定値を超えている時間が光ピックアップの１トラック分ずつの移動が正常にできる最大時間を超えた場合に光ピックアップの１トラック分ずつの移動が正常でないと判断し、光ピックアップの移動を制動するブレーキ電圧、または光ピックアップの移動を加速するキック電圧の少なくとも一方の印加時間を変更することを特徴とするものである。これにより、光ディスク装置のトラッキング制御における１トラックジャンプのキック電圧またはブレーキ電圧の少なくとも一方の電圧印加時間を可変させ、外乱による１トラックジャンプのジャンプ精度の悪化を回避することができ、ジャンプ失敗によるタイムアウトの削減やアクセスタイムの時間短縮が可能となる光ディスク装置のトラッキング制御方法を実現することができる。